(57)【要約】  プレス嵌めにより部品を装着するばね作動型プレスユニットは、ケーシング（１０）と、ケーシング（１０）に回転可能にジャーナル軸受されまた回転モーター（１１）に連結された作動ねじ（１４）と、作動ねじ（１４）と共動するナット組立体（２２）と、ナット組立体（２２）に堅固に接続され且つ作動部片と接続するためにケーシング（１０）の外に伸びるスラストロッド（２４）と、作動ねじ（１４）の回転でケーシング（１０）にナット組立体（２２）を回転ロックするのに有効的なロック装置（２８−３３）とを有し、上記ロック装置（２８−３３）は、ナット組立体（２２）に取付けられ半径方向に伸びる３つのローラースタッド（２８−３０）を備え、ケーシング（１０）に軸方向に伸びるスロット（３１）の縁部で２本の平行な案内レール（３２、３３）と共動するよう配置されている。ローラースタッド（２８、２９、３０）は、ナット組立体（２２）とケーシング（１０）との間の回転の遊びを除去するように逆方向にばね偏奇されて案内レール（３２、３３）と接触する。【選択図】図１
2014528359.tif 000002
【特許請求の範囲】
【請求項１】
ケーシング（１０）と、ケーシング（１０）に回転可能にジャーナル軸受された作動ねじ（１４）と、作動ねじ（１４）に駆動連結した回転モーター（１１）と、作動ねじと共動するナット組立体（２２）と、ナット組立体（２２）に堅固に接続され且つ作動部片と接続するためにケーシング（１０）の外に伸びるスラストロッド（２４）と、作動ねじ（１４）の回転でナット組立体（２２）を軸方向に動かす一方でケーシング（１０）にナット組立体（２２）を回転可能にロックするのに有効なロック装置（２８−３３）とを有するねじ作動型プレスユニットにおいて、
上記ロック装置が、共通の軸方向に向いた列を成してナット組立体（２２）に取付けられた半径方向に伸びる２つ以上のローラースタッド（２８−３０）と、ケーシング（１０）に軸方向に伸びるスロット（３１）と、上記スロット（３１）の縁部に配置された２本の平行な案内レール（３２、３３）とを備え、
上記ロックスタッド（２８−３０）が、プレスユニットの動作中、ナット組立体（２２）の回転を阻止するために上記案内レール（３２、３３）と係合すること
を特徴とするねじ作動型プレスユニット。
【請求項２】
ナット組立体（２２）とケーシング（１０）との間の回転の遊びを除去するために上記案内レール（３２、３３）に対して上記ローラースタッド（２８−３０）にばね偏奇力を印加するようばね要素（３６）が設けられることを特徴とする請求項１記載のプレスユニット。
【請求項３】
上記ローラースタッド（２８−３０）数が３であって、共通の軸方向に向いた列に配置され、上記３つのローラースタッド（２８−３０）のうちの１つ（２９）が他の２つのローラースタッド（２８、３０）の間の中間に位置され、上記案内レール（３２）の１つに対して上記ばね要素（３６）により偏奇され、他方、他の２つのローラースタッド（２８、３０）が反対側の案内レール（３３）に対して偏奇されることを特徴とする請求項２記載のプレスユニット。
【請求項４】
他の２つのローラースタッド（２８、３０）の間の中間に位置する上記ローラースタッド（２９）が、ナット組立体（２２）及び他の２つのローラースタッド（２８、３０）に対して横方向に移動可能に案内される軸受ブロック（３４）に支持され、上記ばね要素（３６）がナット組立体（２２）の溝（３５ａ、３５ｂ）に端部を支持しかつ上記軸受ブロック（３４）に対してプレテンションされた板ばねであることを特徴とする請求項３記載のプレスユニット。
【発明の詳細な説明】
【技術分野】
【０００１】
本発明は、プレス嵌めによって部品同士を接合するようにされ、モーター駆動型作動ねじを備えたケーシングと、非回転ナットと、ナットに接続され、ナットを介して接合されるべき部品に線形スラスト力を付与するスラストロッドとを備えたねじ作動型プレスユニットに関するものである。
【背景技術】
【０００２】
上記形式のプレスユニットに関わる問題点は、直接的にナット自体とケーシングとの間で、或いはケーシングとの回転ロック係合においてスラストロッドを介して、ナットとケーシングとの間の優れた回転ロック機能を得ることが難しいことにある。上記種類の従来のプレスユニットでは、種々の形式の回転ロック装置、例えばスラストロッドとケーシングとの間にスプライン接続が使用されてきた。これによって、回転ではなくスラストロッドの長手方向動きを可能にしている。この種の回転ロック装置の欠点は、部品同士の接触圧を低く保持してこのようなスプライン接続の許容可能な長い製品寿命を提供するために、ケーシングとスラストロッドとの間に相当に長い係合距離を必要とすることにある。このことは、特に狭い領域での使用を意図したプレスユニットに適用される場合、ケーシングの長さが望ましくない程大きくなる傾向にあることを意味している。
【０００３】
この種のプレスユニット用の回転ロック手段を達成するための別の方法は、ケーシングの長手方向のキー溝と共動するように配置された１つ以上の半径方向に伸びるキー要素をナットに設けることにある。その結果、ケーシングとナットの両方を特殊な形状にする必要があるため、かかる公知の装置は製造コストが高くなる。さらに多くの応用において、スラストロッドの長手方向動き及びナットの回転動きに非常に高い精度が要求されるので、このような公知の装置は、許容できない機械的摩耗だけでなくナットやスラストロッドの精度の低い案内にも悩まされてきた。必然的に摺動接触面は小さく、しかも故障の無い操作を保証し且つ所定の潤滑油を担持するためにそれらの間に隙間を必要とするため、ナットとケーシングのキー溝との間に遊びの無い係合を得ることは困難である。
【発明の概要】
【発明が解決しようとする課題】
【０００４】
本発明の目的は、ケーシングに対し線形移動するナットの回転ロックが得られ、スラストロッド動作に高レベルの精度を保証するようにしたねじ作動型プレスユニットを提供することにある。
【課題を解決するための手段】
【０００５】
本発明のさらなる目的は、ケーシングの長さが否定的な仕方で影響されることなく、また回転ロック手段の耐用年数が実質的に伸ばされるねじ作動型プレスユニットを提供することにある。
【０００６】
本発明のさらなる目的および利点は、以下の明細書の記載及び特許請求の範囲の記載から明らかになる。
【０００７】
以下添付図面を参照して本発明の好ましい実施形態について、詳細に説明する。
【図面の簡単な説明】
【０００８】
【図１】本発明によるプレスユニットを示す斜視図。
【図２】図１におけるプレスユニットの上面図。
【図３】図１におけるプレスユニットの部分縦断面図。
【図４】図３の線Ｂ−Ｂに沿った断面図。
【図５】ナット組立体及びローラー装置を示す部分拡大断面図。
【発明を実施するための形態】
【０００９】
図示したプレスユニットは、主ケーシング１０を有し、主ケーシング１０には電気回転モーター１１が取り付けられ、電気回転モーター１１は、プレスユニットと別個の制御装置（図示していない）との間の電力及び制御信号の多芯ケーブル通信用の接続部片１２を備えている。ケーシング１０には、作動ねじ１４が回転軸支され、作動ねじ１４は減速歯車１５を介してモーター１１に連結されている。減速歯車１５は、ケーシング１０の後端壁１３に配置され、そしてねじ１４に堅固に取り付けられた平歯車１６を備えている。ねじ１４の後端部は３つの玉軸受１７、１８、１９によって支持されている。それら３つの玉軸受１７、１８、１９はねじから半径方向及び軸方向の力をケーシングに伝達するための角度接触型の軸受である。玉軸受１７、１８、１９は、共通の取付けスリーブ２０に支持され、共通の取付けスリーブ２０は薄壁のネック部２１を介して後端壁１３に固定されている。荷重に応じて弾性的に変形可能なこのネック部２１には歪みゲージセンサ（図示していない）が取り付けられ、歪みゲージセンサは、玉軸受１７、１８、１９に加えられる軸荷重及びプレスユニットから送出される出力スラスト力に応じて信号を発生する。図４に示すように、プレスユニットは軸受取付けスリーブ２０における歪みゲージセンサと通信する信号配線用の外部コネクタ２３が設けられている。
【００１０】
作動ねじ１４は、ねじ１４の回転運動を直線運動に変換するナット組立体２２と共動するように設けられている。ナット組立体２２に堅固に接続された管状スラストロッド２４は、作業部片と接続するためにケーシング１０の外へ伸びている。スラストロッド２４はケーシング１０の前端で平ブッシング２５で支持され、ねじ１４はスラストロッド２４の内部壁２６に堅固に支持されている。
【００１１】
好ましくは、ネット組立体２２は、ねじ１４と共動する複数の遊星ねじ部材（図示していない）を有する種類のものである。この種のナット構成は、この種のプレスユニットでは従来公知であり、その詳細な説明は省略する。この種のナット組立体構成の大きな利点は、ナット組立体２２とねじ１４との間の全接触面が大きいことにある。このことは機械的摩耗が低レベルであることを意味している。
【００１２】
本発明によれば、ナット組立体２２には、回転を阻止する３つの半径方向ロック要素がローラースタッド２８、２９、３０の形態で設けられている。これらのローラースタッドは、共通の軸方向に向いた列に配置され、ケーシング内の軸方向に向いたスロット３１を通って外へ横方向に伸びている。ローラースタッド２８、２９、３０は、スロット３１の縁部に装着された２つの平行案内レール３２、３３と転がり共動するように配置されている。ローラースタッド２８、２９、３０は、ナット組立体２２とケーシング１０との間の回転の遊びをなくすように、板ばね要素３６によって案内レール３２、３３と転動係合するように偏奇されている。ローラースタッド２８、２９、３０は、低摩擦回転のための針軸受を備え、そして３つのうちの中央に配置されたローラースタッド２９が一方の案内レール３３に向ってばね要素３６によって偏奇され、他の２つのローラースタッド２８、３０が反対側の案内レール３２に向って反動として偏奇されように構成されている。案内レール３２、３３とのこのような複動接触係合を達成するために、中央ローラースタッド２９は、ナット組立体２２及び他の２つのローラースタッド２８、３０に対し横方向に可動に案内される軸受ブロック３４に支持されている。板ばね要素３６の端部はナット組立体２２の溝３５ａ、３５ｂ内に支持され、軸受ブロック３４にバイアス負荷を及ぼすよう配置されている。図５を参照。このような構成によって、ナット組立体２２の反力がばね要素３６のバイアス負荷に取って代わることが無い限り、ナット組立体２２とケーシング１０との間に遊びが存在しないことを保証する。プレスユニットのプレス力出力を高めるためには、ナット組立体２２のより高い反作用トルクを打ち消してケーシング１０に対してナット組立体２２の遊びのないロックを保証するようにより強い板ばね要素３６が選択されるべきである。ローラー２８、２９、３０と案内レール３２、３３との間の接触圧が高いほど関連する部品の機械的な摩耗が大きくなるので、ローラー２８、２９、３０のばね負荷が不必要に大きくならないことがむしろ重要である。
【００１３】
動作において、所定のプログラムに従ってモーター１１を動作させるためにすなわちスラストロッド２４の所望の軸方向ストロークで特定のプレス力を得るために、モーター１１は電源及び制御装置に接続される。また、スラストロッド２４は、作業部片を手元で係合するための適当な操作手段を備えている。ユニットの始動状態では、ナット組立体２２は後端壁１３に近い最も後方の位置にある。このことは、図示したように、スラストロッド２４がそのもっとも引き込まれた位置にあることを意味している。プレスユニットが始動されることになる際に、制御装置からモーターに信号が送られ、減速ギア１５及び作動ねじ１４の回転動作が開始されることになる。作動ねじ１４とナット組立体２２との間のねじ係合により、ナット組立体２２及びスラストロッド２４は直線運動する。このための条件は、ナット組立体２２がケーシング１０内で回転しないことにある。これは、ケーシング１０におけるローラー２８、２９、３０と案内レール３２、３３との相互係合によって達成される。スラストロッド２４は、作動ねじ１４の継続的な回転でその作業タスクを行うことができる、すなわちスラスト力を印加することでプレス嵌めを介して２つの部品を相互に押圧することができる。作動ねじ１４に沿って移動する間に、ナット組立体２２は、ローラー２８、２９、３０と案内レール３２、３３との間の低摩擦係合を介して回転に対して連続的にロックされる。案内レール３２、３３に対するローラースタッド２８、２９、３０のばね偏奇は、ナット組立体２２とケーシング１０との間に回転の遊びがないことを保証する。
【００１４】
スラストロッド２４で印加されたスラスト力から生じる反力は、玉軸受１７、１８、１９、取付けスリーブ２０、及び後端壁１３を介してケーシング１０に転送される。反力の大きさつまり実行されたスラスト力は、取付けスリーブ２０の弾性的なネック部２１にある歪みゲージセンサで送出される信号によって表示され、これらの信号は制御装置でプログラムされたデータと比較される。次いで、操作が順調に実行されたかどうかをオペレーターに示すために、OK又はNOKの何れかの信号が送信される。特に、意図したプレス作業が完了する際のまさに軸方向位置は極めて本質的であり、制御装置に記憶されたデータによって決定される。正確な位置の表示は、モーターにおける回転／角度センサによって得られる。むしろ、スラストロッド２４における直線運動／位置センサでは、常時適用される高い要求に応じたプロセスを管理するための正確で十分な表示は得られないであろう。
【００１５】
意図したプレス作業が完了すると、モーターは停止され逆方向に回転される。このことは、作動ねじ１４が逆方向に回転し始め、それによってナット組立体２２に動作方向を変更させてスラストロッド２４を引き込ませることを意味している。
【００１６】
なお、本発明は図示し説明してきた例に限定されるものではなく、特許請求の範囲内で自由に変更され得ることが留意されるべきである。
【符号の説明】
【００１７】
１０    ケーシング
１１    モーター
１２    接続部品
１３    後端壁
１４    作動ねじ
１５    減速ギア
１６    平歯車
１７；１８；１９    軸受
２０    取付けスリーブ
２１    ネック部
２２    ナット組立体
２３    コネクタ
２４    スラストロッド
２５    平面ブッシング
２６    内部壁
２８；２９；３０    ローラースタッド
３１    スロット
３２；３３    案内レール
３４    軸受ブロック
３５ａ；３５ｂ    溝
３６    ばね要素
【図１】
2014528359.tif 000003
【図２】
2014528359.tif 000004
【図３】
2014528359.tif 000005
【図４】
2014528359.tif 000006
【図５】
2014528359.tif 000007
【手続補正書】
【提出日】平成25年4月24日(2013.4.24)
【手続補正１】
【補正対象書類名】特許請求の範囲
【補正対象項目名】全文
【補正方法】変更
【補正の内容】
【特許請求の範囲】
【請求項１】
ケーシング（１０）と、ケーシング（１０）に回転可能にジャーナル軸受された作動ねじ（１４）と、作動ねじ（１４）に駆動連結した回転モーター（１１）と、作動ねじ（１４）と共動するナット組立体（２２）と、ナット組立体（２２）に堅固に接続され且つ作動部片と接続するためにケーシング（１０）の外に伸びるスラストロッド（２４）と、作動ねじ（１４）の回転でナット組立体（２２）を軸方向に動かす一方でケーシング（１０）にナット組立体（２２）を回転ロックするのに有効なロック装置（２８−３３）とを有し、
上記ロック装置が、共通の軸方向に向いた列を成してナット組立体（２２）に取付けられた半径方向に伸びる３つ以上のローラースタッド（２８−３０）及び、ケーシング（１０）に軸方向に伸びるスロット（３１）と、上記スロット（３１）の縁部に配置された２本の平行な案内レール（３２、３３）とを備え、
また上記ロックスタッド（２８−３０）が、プレスユニットの動作中、ナット組立体（２２）の回転を阻止するために上記案内レール（３２、３３）と係合し、
ナット組立体（２２）とケーシング（１０）との間の回転の遊びを除去するために上記案内レール（３２、３３）に対して上記ローラースタッド（２８−３０）にばね偏奇力を印加するようばね要素（３６）が設けられるねじ作動型プレスユニットにおいて、
上記３つのローラースタッド（２８−３０）のうちの１つ（２９）が他の２つのローラースタッド（２８、３０）の間の中間に位置され、そして上記案内レール（３２）の１つに対して上記ばね要素（３６）により偏奇され、他方、他の２つのローラースタッド（２８、３０）が反対側の案内レール（３３）に対して偏奇されること
を特徴とするねじ作動型プレスユニット。
【請求項２】
他の２つのローラースタッド（２８、３０）の間の中間に位置する上記ローラースタッド（２９）が、ナット組立体（２２）及び他の２つのローラースタッド（２８、３０）に対して横方向に移動可能に案内される軸受ブロック（３４）に支持され、上記ばね要素（３６）がナット組立体（２２）の溝（３５ａ、３５ｂ）に端部を支持しかつ上記軸受ブロック（３４）に対してプレテンションされた板ばねであることを特徴とする請求項１記載のプレスユニット。
【国際調査報告】
2014528359.tif 000008
2014528359.tif 000009